(57)【要約】【課題】入賞装置の位置変更の自由度を備え、遊技盤ベースに新たに取付孔を設けずとも、入賞装置の位置を容易に変更することが可能な弾球遊技機を提供する【解決手段】遊技盤ベース１１に貫通して形成された取付孔１９に取り付けられる入賞装置１５を備え、該入賞装置は、遊技盤ベースの取付孔に嵌め込まれる形状を有し、遊技球が転動可能な転動通路３４を備えると共に、該転動通路３４の最も低い位置に貫通して形成される球排出路３３を備えてなる取付部３０と、該取付部の転動通路に連通する開口３８を前記転動通路の任意位置に位置させて取り付けられる入賞部３６とで構成されている。【選択図】    図８
2006081781.tif 000002
【特許請求の範囲】
【請求項１】
遊技盤ベースに貫通して形成された取付孔に取り付けられる入賞装置を備え、
該入賞装置は、
遊技盤ベースの取付孔に嵌め込まれる形状を有し、遊技球が転動可能な転動通路を備えると共に、該転動通路の最も低い位置に貫通して形成される球排出路を備えてなる取付部と、
該取付部の転動通路に連通する開口を前記転動通路の任意位置に位置させて取り付けられる入賞部とで構成されていることを特徴とする弾球遊技機。
【請求項２】
取付部の転動通路は、球排出路よりも遊技球の流下方向で上方に所定範囲延びた転動領域を有すると共に、遊技盤ベースの取付孔内に位置していることを特徴とする請求項１に記載の弾球遊技機。
【請求項３】
取付部の奥行き方向厚みは、該取付部を遊技盤ベースの取付孔内に嵌め込んだ際に、該取付部の前面縁部が、前記取付孔の前面縁部よりも前方に突出する厚みとしたことを特徴とする請求項１又は２に記載の弾球遊技機。
【発明の詳細な説明】
【技術分野】
【０００１】
本発明は、弾球遊技機（いわゆるパチンコ機）に関する。
【背景技術】
【０００２】
例えば弾球遊技機は、発射装置を介して遊技領域に打ち出された遊技球が、遊技領域を転動流下して始動入賞口や一般入賞口などに入賞することにより、所定数の賞球の払い出しを受けて遊技を楽しむものである。（特許文献１参照）。
【０００３】
従来、これらの入賞装置を遊技盤ベースに取り付ける場合、夫々の入賞装置にとって適切な場所、適切な大きさの取付孔を遊技盤ベースに貫通して形成し、該取付孔を介して入賞装置が取り付けられていた。
例えば、一般入賞口であれば遊技盤ベースの左右下方に、始動入賞口であれば遊技盤中央下位置に取り付けられている。
更に具体的に説明すると、例えば、遊技盤ベースの所定位置に貫通して形成した円筒形状の取付孔に対し、球排出路を貫通形成してなる前記取付孔に嵌合可能な外形を備えた円筒形状の取付部と、該取付部の球排出路上方位置に遊技球を受け入れる開口を遊技盤表面から突出して位置するように取り付けられる入賞部とで構成されていた。すなわち、入賞部の開口位置と球排出路の位置は遊技盤の奥行き方向に同一位置に備えられていた。
【特許文献１】特開２００４−９７３３３号公報
【発明の開示】
【発明が解決しようとする課題】
【０００４】
しかしながら、このような遊技機において前記取付部と入賞部とが連通して形成する球通路は、前記遊技盤ベースの取付孔と入賞装置（取付部と入賞部）の構造上固定的であったため、一度遊技盤ベースの取付孔に入賞装置を取り付けてしまうと、入賞装置の位置を変更することは出来なかった。すなわち、従来技術にあっては、遊技盤ベースに一旦所定の取付孔を形成すると、入賞部の開口位置は必然的に決まってしまい、遊技領域を転動流下する遊技球を受け入れる前記入賞部の開口位置を左右方向若しくは上下方向などに容易に変更することはできなかった。
なお、従来の遊技機において入賞装置の位置を変更するには、遊技盤ベースの他の位置に新たに取付孔を設けなければならず、微細な位置変更であっても新たな遊技盤・球通路の変更などが必要になるため、コスト高であると共に作業手間が掛かってしまう。
【０００５】
本発明は、このような問題を解決するためになされており、その目的とするところは、入賞装置の位置変更の自由度を備え、遊技盤ベースに新たに取付孔を設けずとも、入賞装置の位置を容易に変更することが可能な弾球遊技機を提供することにある。
【課題を解決するための手段】
【０００６】
このような目的を達成するために、第１の発明は、遊技盤ベース１１に貫通して形成された取付孔（例えば一般入賞口用の取付孔１９）に取り付けられる入賞装置（例えば一般入賞口１５）を備え、該入賞装置１５は、遊技盤ベース１１の取付孔１９に嵌め込まれる形状を有し、遊技球が転動可能な転動通路３４を備えると共に、該転動通路３４の最も低い位置に貫通して形成される球排出路３３を備えてなる取付部３０と、該取付部３０の転動通路３４に連通する開口３８を前記転動通路３４の任意位置に位置させて取り付けられる入賞部３６とで構成されていることを特徴とする弾球遊技機としたことである。
【０００７】
本発明によれば、入賞装置１５の取付部構造が、遊技盤１０の裏側の球通路（裏通路４１ａ）に連絡される球排出路だけではなく、遊技球が転動可能な転動通路３４を備え、該転動通路３４が入賞部３６の開口３８と球排出路３３とをつなぐ球通路としての役割を有するため、この転動通路３４の領域内で入賞部３６の開口３８位置を変更することが出来る。すなわち、開口３８位置が異なる複数パターンの入賞部３６を用意しておけば、入賞装置１５の位置変更に対応でき、入賞部３６の開口３８位置変更の自由度が備えられることとなる。
本発明の入賞装置によれば、新たに入賞装置取付用の取付孔を遊技盤ベースに設ける必要がなく、作業工程における時間的及び費用的なコストを低く抑えることができる。
【０００８】
第２の発明は、第１の発明において、取付部３０の転動通路３４は、球排出路３３よりも遊技球の流下方向Ｆで上方に所定範囲延びた転動領域を有すると共に、遊技盤ベース１１の取付孔１９内に位置していることを特徴とする弾球遊技機としたことである。
本発明によれば、転動通路３４は、遊技盤ベース１１の取付孔１９内に位置されていると共に、球排出路３３よりも遊技球の流下方向Ｆで上方（例えば斜め左右方向若しくは上下方向など）に所定範囲延びた転動領域を有しているので、入賞装置１５の位置が容易に変更可能である。また、転動通路３４が遊技盤ベース１１の取付孔１９内に位置されている（遊技盤ベース１１の奥行き方向Ｄ２の厚み内に配置されている）ので、転動通路を新たに設ける必要がなく省スペース化が図れる。
【０００９】
第３の発明は、第１又は第２のいずれかの発明において、取付部３０の奥行き方向Ｄ１厚みは、該取付部３０を遊技盤ベース１１の取付孔１９内に嵌め込んだ際に、該取付部３０の前側縁３２が、前記取付孔１９の前面縁部よりも前方に突出する厚みとしたことを特徴とする弾球遊技機としたことである。
本発明によれば、取付部３０の前側縁３２が、遊技盤ベース１１の表面から突出しているので入賞部３６を取付け易くなり取付け作業が容易となる。
【発明の効果】
【００１０】
本発明によれば、入賞装置の開口位置の変更における自由度が増すため、遊技盤ベースに新たに取付孔を設けずとも、入賞装置の位置を容易に変更することができる。
【発明を実施するための最良の形態】
【００１１】
以下、本発明の一実施形態について説明する。なお、本実施形態は本発明の一例にすぎずなんらこれに限定解釈されるものではなく、本発明の範囲内で設計変更可能である。
【実施例１】
【００１２】
図１及び図２は、本発明を適用した弾球遊技機（パチンコ機ともいう）の一例であり、弾球遊技機は、遊技盤ベース１１に種々の遊技部材を備えて構成した遊技盤１０と、該遊技盤１０の裏側には遊技に関する表示を行うための図示しない表示装置と、該遊技盤１０と表示装置との間に組み込まれて、遊技盤１０に表示装置が直接接触しないように構成する図６乃至図８及び図１３に示すスペーサ９とを備えて構成されている。なお、スペーサ９には図７，図８及び図１４に示す裏通路部材４１が組み込まれている。
【００１３】
弾球遊技機は、外枠１の前面に内枠（ベースドア）２が回動自在に軸支され、該内枠２の背後には表示装置が嵌装されていると共に、該内枠２の前面には遊技盤１０が着脱自在に装着されている。そして該内枠２の前面には、ガラス板４を嵌めたフロント扉３が回動自在に軸支されている。
前記内枠２の前面下部には、貸球及び賞球を受け止める上皿５、上皿５満杯時に球出口の内方で溢れた球を受け止める下皿６、そして発射装置のハンドル７を備える。
そして前記ハンドル７のレバー７ａを時計方向に回転させることにより、例えば内蔵する発射ソレノイドを作動させて遊技球を表側の遊技領域Ａに打ち出すことができる。
【００１４】
表示装置は、例えば、正面から見て、横方向の三列にわたって数字、記号等の識別情報からなる特別図柄（左特別図柄・中特別図柄・右特別図柄）を変動表示させたり、特別図柄の変動表示に併せて所定のキャラクタ画像や背景画像による演出表示等を行ったりする液晶表示装置（ＬＣＤ：Liquid Crystal Display）や、投影機からの動画又は静止画を、反射板で屈折して表示させる投影型画像表示装置も対象で、特に限定されず本発明の範囲内で種々の表示装置が適用される。
前記表示装置の大きさなど特に限定はされないが、本実施例では、２０インチの大型ＬＣＤを用いており、後述するように透光性部材からなる本実施例の遊技盤ベース１１を介して表側の遊技領域Ａに広く液晶表示による演出表示を付与し、遊技性・装飾性などを向上させるものとしている。
なお、本発明は、表示装置を備えない弾球遊技機も対象である。
【００１５】
遊技盤１０は、図３及び図４に示すように、遊技盤ベース１１と、該遊技盤ベース１１に備えられる各種遊技部材とで構成されている。
【００１６】
図１２は、本実施例に用いられる遊技盤ベース１１の一例を示す斜視図で、遊技盤ベース１１は、例えば本実施例では、その遊技盤ベース１１全体を透光性部材（透明部材）で形成して裏側が視認可能とすると共に、各種遊技部材を取り付ける貫通した各取付孔を設けている。遊技部材は、弾球遊技機において遊技に必要な全ての部材を言い、例えば、図３及び図４に示すように、表側の遊技領域Ａを区画すると共に、該表側の遊技領域Ａに発射ソレノイドから打ち出される遊技球を導くガイドレール１２や、前記表示装置の変動表示を起動すると共に、大当たりとするか否かの抽選処理を起動するチューリップ式の普通電動役物からなる始動入賞口１３、大当たり時に開放するアタッカと称する特別電動役物の大入賞口１４、一般入賞口となる左右の入賞口１５などの入賞装置、そして遊技領域での入賞を逃したアウト球を排出するアウト口１６、遊技盤ベース１１に打たれている図示しない多数の遊技釘などが一例として挙げられる。また、特に限定されるものではないが、本実施例では、これら遊技部材の全てを透明部材で形成している。
【００１７】
図１２中、符合１７乃至２３は遊技盤ベース１１に貫通して設けられた各遊技部材取り付け用の取付孔で、１７は始動入賞口１３を取り付ける取付孔、１８は大入賞口１４を取り付ける取付孔、１９は入賞口（一般入賞口）１５を取り付ける取付孔、２０はアウト口１６を取り付ける取付孔、２１は通過ゲート４２を取り付ける取付孔である。また、本実施例では、表側の遊技領域Ａを転動流下する遊技球を裏側の遊技領域に転動案内するワープ装置２４を備えており、図中２２は、そのワープ装置２４を構成し、表側の遊技領域Ａを転動流下する遊技球を受け入れて裏側通路へと案内する遊技球受入口２５を取り付ける取付孔、２３は前記裏側通路を転動流下した遊技球を再度表側の遊技領域Ａへと排出する排出口２８を取り付ける取付孔を設けている。なお、多数の遊技釘を取り付ける夫々の取付孔は図示省略する。
【００１８】
ちなみに、本実施例で組み込まれるワープ装置２４は、図６乃至図８及び図１５、図１６に示すように、遊技盤ベース１１の表側の遊技領域Ａを転動流下する遊技球を受け入れる遊技球受入口２５と、該遊技球受入口２５と連通する遊技盤ベース１１の貫通口の排出側に連通し、該貫通口排出側から遊技盤ベース１１の裏側の遊技領域にて、該遊技盤ベース１１の左右方向の略全域にわたる長さに延設される裏側通路２６と、該裏側通路２６から排出された遊技球を受けて転動案内する裏ステージ２７と、遊技盤ベース１１の表側に貫通して形成し、前記裏ステージ２７を転動する遊技球を遊技盤ベース１１の表側の遊技領域Ａに排出する排出口２８とからなる。
【００１９】
遊技盤ベース１１を形成する透光性部材は、例えば、前記各遊技部材を固定でき、かつ、容易に変形しない（曲がらない）又は変質しない程度の硬度・強度等を有し、かつ透明な材質のものを選択する。例えば、透明性の高い硬質の合成樹脂材が一例として挙げられ、さらに具体的には、無色透明のアクリル樹脂材、ポリカーボネート樹脂、ポリアリレート樹脂などが任意に選択される。また、樹脂以外の材質、例えばガラスなどを採用することも本発明の範囲内であり設計変更可能である。
遊技盤ベース１１の全体を構成する透光性部材は無色透明とするが、有色透明部材を採用することも可能である。また仕様によっては遊技盤ベース１１を無色透明部材と有色透明部材とで構成したり、遊技盤ベース１１に色彩・模様を施すことも可能であり、表示装置８による演出に悪影響を及ぼさない範囲内で設計変更可能である。この場合、模様は無色透明の線図が好ましいが、遊技盤ベース１１の裏面側に配設される表示装置８の構成によっては有色模様を施すことも可能である。
また、遊技盤ベース１１は、透光性部材で形成した領域を少なくとも一部に有するもので、該透光性部材で形成した領域を介して裏側に配設される表示装置が臨む構成とするものでもよい。
なお、本発明では、遊技盤ベース１１を非透光性部材からなるものとしてもよく特に限定はされない。
【００２０】
本発明は、上述のとおりの各構成部分を有するが、本発明は入賞装置１５の構造に特徴的な構成を有するため、以下、その入賞装置の構造を中心に説明し、その他の構成部分についての説明は上述の説明に留め、本発明の範囲内で設計変更可能である。なお本実施例では、一般入賞口である入賞口１５を入賞装置の一例として挙げて以下に説明する。
【００２１】
入賞口１５は、本実施例では、図２，３に示すように、遊技盤１０を正面から見て上下方向で二等分した下方の領域Ｔで、始動入賞口１３と大入賞口１４を中心に左右対称位置に二箇所ずつ計四箇所設けられており、左側の二箇所の入賞口１５，１５と、右側の二箇所の入賞口１５，１５は、夫々上側の入賞口１５と下側の入賞口１５とが装飾板２９を介してユニット化されている。
【００２２】
上側の入賞口１５は、図８に示すように、遊技盤ベース１１の取付孔１９に嵌め込まれて配設される取付部３０と、該取付部３０の前面側に配設される入賞部３６とで構成されている。
従って、前記遊技盤ベース１１の取付孔１９は、図１２に示すように前記ユニット化されている上側の入賞口１５の取付部３０を埋設すると共に、装飾板２９と下側の入賞口１５を嵌め込み可能な大きさに穿設されている。また、前記ユニット化されている下側の入賞口１５と装飾板２９の裏面側には、図１０に示すように、遊技盤ベース１１の取付孔１９に着脱自在に掛止する掛止爪４０が備えられている。
【００２３】
取付部３０は、図５，図９，図１０に示すように、前記のように装飾板２９と一体的に形成されており、該取付部３０は前記遊技盤ベース１１の所定箇所に貫通して設けられた取付孔１９に嵌め込まれる外観形状を有すると共に、奥行き方向（図１０中Ｄ１で示す方向）に所定の厚みを有している。
取付部３０の奥行き方向Ｄ１の厚みは、遊技盤ベース１１の取付孔１９の奥行き方向の深さ（図１２に示す遊技盤ベース１１の奥行き方向の厚みＤ２）よりも厚く（Ｄ１＞Ｄ２）、少なくとも取付部３０の後側縁３１を遊技盤ベース１１の取付孔１９の後側縁１９ａと面一になるように埋設した際に装飾板２９の前面よりも前側縁３２を前方に突設させる程度の厚さとしている。
【００２４】
取付部３０には、遊技盤１０の裏側へと遊技球を案内する球排出路３３が貫通して設けられ、該球排出路３３から遊技球の流下方向（図９中Ｆで示す方向）で斜め上方に向けて連通状に所定長さ延設される転動通路３４が凹設されている。球排出路３３は、遊技盤ベース１１の裏側に配されたスペーサ９に取り付けられる裏通路部材４１の裏通路４１ａと連通する。
すなわち、取付部３０には、遊技球が転動流下する所定長さの傾斜状の転動通路３４が凹設されており、その転動通路３４の最も低い位置に球排出路３３が貫通形成されている。
また、本実施例では、転動通路３４の最も高い位置に上方に向けて略垂直上に膨出している膨出部３５が形成されている。
【００２５】
なお、転動通路３４の奥行き方向Ｄ１厚さ及び上下方向幅Ｈは特に限定はされず、少なくとも遊技球が転動流下可能なように遊技球の直径よりも幅広に形成されている。
また、転動通路３４は、球排出路３３よりも遊技球の流下方向Ｆで上方に所定範囲延びた転動領域を有するものであればよく、例えば遊技盤ベース１１を正面から見て上下方向（垂直方向）に所定長さ延設されている構成であってもよく、また本実施例では、平面視略直線状の転動通路３４をもって説明するが、平面視蛇行状であってもよく、また平面視円形状であってもよく、遊技球が球排出路３３に向けて転動流下可能な形状を有するものであれば本発明の範囲内で任意の形状に設計変更可能である。
【００２６】
入賞部３６は、例えば図１１（ａ）乃至（ｃ）に示すように、前記取付部３０の転動通路３４全域を覆う所定形状の蓋部３７を備えると共に、該蓋部３７には、転動通路３４の任意位置、例えば本実施例では前記転動通路３４の最も高い位置に設けた膨出部３５に対向させて連通する開口３８を設け、そして該開口３８と連通すると共に、上方を開放させた遊技球入球口３９を該開口３８前方に突設させている。
入賞部３６の形状は特に限定されず、取付部３０の転動通路３４に連通する開口３８・遊技球入球口３９を少なくとも一つ備えていればよいが、取付部３０の転動通路３４を覆うと共に、装飾性を兼ね備えたものが好ましい。
【００２７】
図１１（ｄ）は、入賞部３６の他の形態の一例を示し、開口３８・遊技球入球口３９の位置を、取付部３０の転動通路３４の最も低い位置、すなわち球排出路３３と対向する位置に設けたものである。
従って、図１１（ａ）に示す入賞部３６と、同図（ｄ）に示す入賞部３６を取り替えることにより、単一の遊技盤１０において、入賞口１５の遊技球入球口３９の位置を遊技盤１０に対して斜め上下方向（前記遊技球流下方向Ｆ）にずらした形態が提供できる。
【００２８】
下側の入賞口１５は、図１１に示すように、本実施例では上側の入賞口１５とは異なり、遊技盤ベース１１の取付孔１９内に埋設される転動通路３４を備えておらず、遊技球入球口３９から直接遊技盤ベース１１の裏側に遊技球を転動案内する構成を採用している。なお、下側の入賞口１５を、上側の入賞口１５と同様に構成することも可能で本発明の範囲内である。
【００２９】
本実施例において入賞口１５は装飾板２９と一体的に形成したユニット化しているが、上側の入賞口１５と下側の入賞口１５と装飾板２９とが夫々別体で形成されているものであっても良いことは勿論であって本発明の範囲内で設計変更可能である。
「変形例」
【００３０】
上述した実施例では、表示装置８を備えた弾球遊技機をもって説明したが、本発明は表示装置８を備えない弾球遊技機をも対象とするため、表示装置８を備えなくても良い。
また、上述した実施例では、透光性部材からなる遊技盤ベース（透明遊技盤ベース）１１や種々の遊技部材をもって説明したが、本発明は非透光性部材からなる遊技盤ベースを備えた弾球遊技機をも対象とするため、任意の材料（プリント板を前面に備えた合成樹脂板や木製板など）からなる遊技盤ベースが採用可能である。また、上述の実施例では表側の遊技領域Ａから遊技盤ベースの裏側に遊技球を転動流下させ再び表側の遊技領域Ａに排出するワープ装置（通路）２４を備えた弾球遊技機をもって説明したが、本発明はこのようなワープ装置を備えずに表側の遊技領域Ａのみを遊技球が転動流下する弾球遊技機であってもよい。
【図面の簡単な説明】
【００３１】
【図１】本発明遊技機の一実施例を示す概略全体斜視図。
【図２】図１の遊技機の正面図。
【図３】遊技盤の正面図。
【図４】遊技盤ベースを省略した遊技盤の正面図。
【図５】図３の遊技盤から入賞部を取り外し、転動通路を露呈した状態の正面図。
【図６】図２の遊技盤の斜視図。
【図７】図６の遊技盤で遊技盤ベースを省略した正面図。
【図８】遊技盤の分解斜視図。
【図９】取付部の正面図。
【図１０】取付部の斜視図。
【図１１】（ａ）は入賞部の正面図、（ｂ）は入賞部の背面図、（ｃ）は入賞部の背面斜視図、（ｄ）は入賞部の他の形態を示す正面図。
【図１２】遊技盤ベースの斜視図。
【図１３】スペーサの斜視図。
【図１４】スペーサに組み込まれる裏通路部材の斜視図。
【図１５】遊技盤の背面図。
【図１６】遊技盤から遊技盤ベースを省略した背面図。
【符号の説明】
【００３２】
１０  遊技盤
１１  遊技盤ベース
１５  入賞口（一般入賞口）
１９  取付孔（一般入賞口用）
２９  装飾板
３０  取付部
３３  球排出路
３４  転動通路
３６  入賞部
３８  開口
【図１】
2006081781.tif 000003
【図２】
2006081781.tif 000004
【図３】
2006081781.tif 000005
【図４】
2006081781.tif 000006
【図５】
2006081781.tif 000007
【図６】
2006081781.tif 000008
【図７】
2006081781.tif 000009
【図８】
2006081781.tif 000010
【図９】
2006081781.tif 000011
【図１０】
2006081781.tif 000012
【図１１】
2006081781.tif 000013
【図１２】
2006081781.tif 000014
【図１３】
2006081781.tif 000015
【図１４】
2006081781.tif 000016
【図１５】
2006081781.tif 000017
【図１６】
2006081781.tif 000018